(57)【要約】  本明細書では低遅延タッチ入力装置の実施形態を説明する。低遅延タッチ入力装置は該装置への入力として筆記を受信し、該装置のタッチスクリーンディスプレイに重なる物理層上に筆記を一時的に表示させる。低遅延タッチ入力装置が入力を処理する前に、筆記は物理層上に瞬時に表示される。次に、低遅延タッチ入力装置は入力を処理して筆記のデジタル表現を生成し、筆記のデジタル表現をタッチスクリーンディスプレイ上に描画して物理層上に表示された筆記を置換する。
2015505630.tif 000002
【特許請求の範囲】
【請求項１】
タッチ入力装置であって、
当該タッチ入力装置への入力として筆記を受信するタッチスクリーンディスプレイと、
前記タッチスクリーンディスプレイに重なる物理層であり、一時的に前記筆記を表示するように構成された物理層と、
前記筆記を処理して前記筆記のデジタル表現を生成するデジタイザーと、
前記筆記の前記デジタル表現を前記タッチスクリーンディスプレイ上に描画して前記物理層上に表示された前記筆記を前記デジタル表現に置換するコントローラと、
を含むタッチ入力装置。
【請求項２】
前記物理層は前記デジタイザーが前記入力を処理する前に、前記筆記を瞬時に表示するように更に構成される、請求項１に記載のタッチ入力装置。
【請求項３】
前記タッチ入力装置はスタイラス、電子ペン、ライトペン又はユーザの指が前記タッチスクリーンディスプレイに接触するときに入力として前記筆記を受信するように構成される、請求項１に記載のタッチ入力装置。
【請求項４】
請求項１に記載のタッチ入力装置であり、前記コントローラが前記筆記の前記デジタル表現を描写する構成が、
一定の時間間隔で周期的に前記物理層をリフレッシュして、前記物理層からの前記筆記を削除し、
前記タッチスクリーンディスプレイ上に前記筆記の前記デジタル表現を描画して前記物理層から削除された前記筆記を置換する、
ことによる、タッチ入力装置。
【請求項５】
前記物理層上に表示された前記筆記は時間が経つにつれ劣化するように構成され、前記筆記が前記物理層から完全に消える前に、前記コントローラは前記筆記の前記デジタル表現を前記タッチスクリーンディスプレイ上に描画するように構成される、請求項１に記載のタッチ入力装置。
【請求項６】
前記物理層は感圧コレステリック液晶層を含み、筆記具からの圧力が前記感圧コレステリック液晶層に加わると前記筆記を一時的に表示する、請求項１に記載のタッチ入力装置。
【請求項７】
前記物理層は発光層を有し、光源を含む筆記具が前記発光層に接触すると一時的に前記筆記を表示する、請求項１に記載のタッチ入力装置。
【請求項８】
タッチ入力装置への入力として筆記を受信する工程と、
前記タッチ入力装置のタッチスクリーンディスプレイに重なる物理層上に前記筆記を一時的に表示する工程と、
前記入力を処理して前記筆記のデジタル表現を生成する工程と、
前記タッチスクリーンディスプレイ上に前記筆記の前記デジタル表現を描画し、前記物理層上に表示された前記筆記を置換する、描画工程と、
を含むコンピュータ実行方法。
【請求項９】
請求項８に記載のコンピュータ実行方法において、前記描画工程が、
前記物理層から前記筆記を削除する削除工程と、
前記タッチスクリーンディスプレイ上に前記筆記の前記デジタル表現を描画して前記物理層から削除された前記筆記を置換する工程と、
を更に含むコンピュータ実行方法。
【請求項１０】
請求項９に記載のコンピュータ実行方法において、前記削除工程が、
一定の時間間隔で前記物理層を周期的にリフレッシュして前記物理層から筆記を削除する工程、あるいは、
前記筆記を経時的に劣化させて前記物理層から前記筆記を削除する工程、
を含むコンピュータ実行方法。
【発明の詳細な説明】
【背景技術】
【０００１】
タブレット装置又はクレジットカード署名装置などの従来のタッチ入力装置は、タッチスクリーンディスプレイを備える。タッチスクリーンディスプレイでは、ユーザはスタイラス、電子ペン又はユーザの指などの筆記具を用いて書くことができる。しかしながら、典型的なタッチ入力装置は約１００ｍｓの遅延がある。遅延とは、タッチスクリーンディスプレイを介して受信した筆記とタッチスクリーンディスプレイ上に描画される筆記のデジタル表現との間の遅れである。電気泳動などの低速度表示装置では、この遅れが更に長くなり得る。タッチスクリーンディスプレイ上に描画されたデジタル表現は、筆記具の瞬時的な位置に直接リンクされないため、この遅延によりタッチ入力装置上で書きづらくなる。
【発明の概要】
【０００２】
本明細書では、低遅延タッチ入力装置の実施形態を説明する。低遅延タッチ入力装置は該装置への入力としての筆記を受信し、該装置のタッチスクリーンディスプレイに重なる物理層上に筆記を一時的に表示させる。タッチ入力装置が入力を処理する前に、筆記は物理層上に瞬時に表示される。次に、低遅延タッチ入力装置は入力を処理して筆記のデジタル表現を生成し、該筆記のデジタル表現をタッチスクリーンディスプレイ上に描画して物理層上に表示された該筆記を置き換える。
【０００３】
本発明の概要は、以下の発明の詳細な説明でより詳しく説明する簡潔な概念を簡潔な形で紹介するために設けられている。本発明の概要は、特許請求する主題の本質的な特徴を特定することを意図するものではなく、特許請求する主題の範囲を決定するために用いられるものでもない。
【図面の簡単な説明】
【０００４】
低遅延タッチ入力装置の実施形態を下記図面を参照して説明する。同様の特徴及びコンポーネントを参照するため、同じ番号を図面全体で使用する。
【図１】低遅延タッチ入力装置が実施される一環境例を示す図である。
【図２ａ】低遅延タッチ入力装置の詳細な一実施例を示す図である。
【図２ｂ】低遅延タッチ入力装置の詳細な一実施例を示す図である。
【図３】低遅延タッチ入力装置を制御する一方法例を示す図である。
【図４】低遅延タッチ入力装置の技術が実施される一装置例を示す図である。
【発明を実施するための形態】
【０００５】
［全体像］
タブレット装置又はクレジットカード署名装置などの従来のタッチ入力装置は、ユーザがスタイラス、電子ペン又はユーザの指といった筆記具を用いて書くことができるタッチスクリーンディスプレイを備えている。例えば、タブレット装置ではユーザが手書きのメモを取ることが可能である。同様に、クレジットカード署名装置はユーザがクレジットカードを使用して買い物をした後、ユーザの署名を受け取るために用いられる。
【０００６】
しかしながら、典型的なタッチ入力装置では、タッチスクリーンディスプレイを介して受信した筆記とタッチスクリーンディスプレイ上に描画された筆記のデジタル表現との間に遅延がある。電気泳動などの低速度表示装置では、この遅れがさらに長くなり得る。この遅延により、筆記のデジタル表現がユーザの動きよりも遅れて現れる。これが、タッチスクリーンディスプレイ上に描画されたデジタル表現と手の動きを調整するユーザの脳内のフィードバックループを破壊する。この影響は遅延聴覚フィードバックと類似しており、これは、吃音の原因として広く知られている。遅延は通常、センサプロセッサ、内部バス、コアプロセッサ、表示バッファそしてタッチスクリーンディスプレイ上に物理的に書くための時間を含むサブコンポーネントにおけるわずかな時間的遅れの蓄積である。このように、遅延により従来のタッチ入力装置のタッチスクリーンディスプレイ上に筆記することが困難になる。
【０００７】
本明細書は遅延の影響を緩和あるいは除去する低遅延タッチ入力装置を説明する。低遅延タッチ入力装置は、該装置のタッチスクリーンディスプレイに重なる物理層上に筆記具を用いて書くとき、該装置への入力として筆記を受信する。タッチ入力装置が入力を処理する前に、筆記を受信すると、物理層は一時的かつ瞬時に筆記を表示する。ある実施形態において、筆記を受信すると、物理層は５０ミリ秒未満で筆記を表示することができる。筆記を瞬時に表示することで、ディスプレイ上の筆記表示とユーザの手の動きを調整するユーザの脳内のフィードバックループが破壊されない。次に、低遅延タッチ入力装置は入力を処理して筆記のデジタル表現を生成し、タッチスクリーンディスプレイ上の該筆記のデジタル表現を描画して物理層上に表示された筆記を置き換える。
【０００８】
［環境例］
図１は低遅延タッチ入力装置を実施することができる環境１００の例を示す。環境１００は、本実施例ではタブレット装置として示される低遅延タッチ入力装置（タッチ入力装置）１０２を含む。しかし、タッチ入力装置１０２は、例えばクレジットカード署名装置、スマートフォン、ラップトップコンピュータ、テレビ装置又はデスクトップコンピュータがあり、これらに限定されない、タッチスクリーンディスプレイを介して入力を受信するように構成されるあらゆる装置として実施することができるということを理解すべきである。
【０００９】
低遅延タッチ入力装置１０２はプロセッサ１０４及びメモリ媒体１０８及び記憶媒体１１０を有するコンピュータ読み取り可能媒体１０６を含む。コンピュータ読み取り可能命令としてコンピュータ読み取り可能媒体１０６に埋め込まれたアプリケーション及び／又はオペレーションシステム（図示しない）は、プロセッサ１０４により実行することができ、本明細書で説明する一部あるいは全ての機能を提供する。コンピュータ読み取り可能媒体は、タッチ入力装置１０２により受信された筆記をデジタル表現に変換するデジタイザー１１２とコントローラ１１４とを含む。どのようにコントローラ１１４が実施され、そして、さまざまに使用されるか、ということが以下で議論する方法の一部として説明される。
【００１０】
タッチ入力装置１０２はタッチスクリーンディスプレイ１１６も含む。タッチスクリーンディスプレイ１１６は、ユーザが筆記具１１８を使用してタッチ入力装置１０２上に書くときに入力として筆記を受信するように、そして該筆記のデジタル表現を表示するように構成される。本明細書で説明するように、“筆記具”という用語は、例えば、スタイラス、電子ペン、光源を備えたライトペン又はユーザの指があり、これらに限定されないタッチスクリーンディスプレイ１１６上に書くことができるようなあらゆる道具を指す。ある実施例では、タッチ入力装置は特にスタイラス、電子ペン又は光源を備え付けたライトペンを介して入力を受信するように構成されたペン入力装置でもよい。
【００１１】
タッチスクリーンディスプレイ１１６は、筆記具１１８がタッチスクリーンディスプレイ１１６に重なる物理層１２０と接触するとき、入力としての筆記を受信するように実施することができる。たとえ筆記具１１８が物理層１２０と接触しても、タッチスクリーンディスプレイ１１６は入力を受信する。それゆえ、物理層１２０はタッチスクリーンディスプレイ１１６による入力として筆記を受信できるように曲げやすく透明であることができる。コントローラ１１４はタッチスクリーンディスプレイ上で入力が受信される場所を含む。この入力を処理又は“デジタル化”して筆記のデジタル表現を生成するデジタイザー１１２に送信する。次に、コントローラ１１４はタッチスクリーンディスプレイ１１６上の筆記のデジタル表現を描画する。タッチスクリーンディスプレイ１１６は、例えば容量型タッチスクリーンディスプレイ、抵抗型タッチスクリーンディスプレイ、赤外線タッチスクリーンディスプレイ又は光学タッチスクリーンディスプレイがあり、これらに限定されないさまざまな種類のタッチスクリーンディスプレイとして実施することができる。
【００１２】
さまざまな実施形態に従って、タッチ入力装置１０２がタッチスクリーンディスプレイ１１６上の筆記の表示を処理し描画できる前に、筆記が受信されると物理層１２０は、一時的かつ瞬時に筆記を表示するように構成される。例えば、筆記を受信した後、物理層は筆記を５０ミリ秒未満で表示することができる。一実施形態において、物理層１２０はタッチ入力装置１０２が入力を処理することなく即座に筆記を表示する感圧層として実施することができる。例えば、物理層１２０は瞬時に又は実質的に瞬時に物理層１２０と筆記具１１８との間の物理的接触に反応する光を発光又は反射させることができる。この方法で、タッチ入力装置１０２上の筆記によりユーザがタッチ入力装置上ではるかに簡単に書くことができると、ユーザは遅延なしに直ちにフィードバックを受け取ることができる。
【００１３】
物理層１２０上に表示された筆記は、該筆記が完全に劣化あるいは物理層から削除される前に一時的に表示されるだけである。筆記が完全に劣化あるいは物理層から削除される前、あるいはまさにその時、タッチ入力装置１０２はタッチスクリーンディスプレイ１１６上の筆記のデジタル表現を描画する。筆記のデジタル表現は物理層１２０上に表示された筆記を置換する。ただし、ある実施形態において、物理層１２０上に表示された筆記及びタッチスクリーンディスプレイ１１６上に描画された筆記のデジタル表現は、ユーザにとっては区別できるものではないということを留意しなければいけない。これは、この筆記及び筆記のデジタル表現がタッチ入力装置１０２上の同一の、あるいは実質的に同一の場所を占有するからである。さらに、筆記を表示する物理層１２０と筆記のデジタル表現を表示するタッチスクリーンディスプレイ１１６との間の移行は、ユーザに知覚できるものではない。このように、ある実施形態では、ユーザにとって筆記が受信されるとタッチ入力装置１０２はあたかも筆記のデジタル表現を瞬時に行っているように見える。
【００１４】
タッチ入力装置１０２はさまざまな異なる技術を用いて、一時的に物理層１２０上に筆記を表示することができる。一実施形態において、物理層１２０上に表示された筆記が時間と共に劣化する。例えば、物理層１２０上に表示された筆記は、該筆記が物理層１２０から完全に消えるまで、ゆっくりと時間が経つにつれ薄れ得る。劣化中、タッチ入力装置１０２はタッチスクリーンディスプレイ１１６上の筆記のデジタル表現を処理し、描画して、物理層１２０上に表示された筆記を置き換える。
【００１５】
もう一方の実施形態において、物理層１２０は周期的に、例えば一定の時間間隔で、リフレッシュを行い、物理層上に表示された筆記を削除する。例えば、コントローラ１１４は２秒おきに物理層１２０をリフレッシュし、物理層から筆記を削除する。さらに、他の一実施形態において、コントローラ１１４は物理層１２０から筆記の削除を決定し、次に、物理層から筆記を削除する。コントローラ１１４はこの決定をさまざまな異なる方法で行う。例えば、ユーザが一定時間筆記を停止したり、ユーザが完全な単語を書いたり、あるいは、ユーザが新たな行で書き始めると、コントローラ１１４は物理層から筆記の削除を決定することができる。他の実施例のとして、コントローラ１１４はタッチスクリーンディスプレイ１１６上の筆記のデジタル表現を処理及び描画するのにかかる時間に基づく時間間隔で、物理層から筆記を削除することを決定することができる。
【００１６】
他の実施例のとして、コントローラ１１４は、例えばユーザの電子書籍のページをめくるといったユーザ操作に応じて物理層１２０から筆記の削除を決定することができる。例えば、ユーザが電子書籍のページにメモを取ると、該メモは物理層１２０上に瞬時に表示される。次に、ユーザが電子書籍の次のページに進むと、該メモは物理層１２０から削除される。後でユーザが該ページに戻る場合、メモのデジタル表現はタッチスクリーンディスプレイ１１６上に表示することができ、物理層１２０上に前回表示されたメモを置き換える。これらは、コントローラ１１４が物理層１２０から筆記の削除を決定することができる方法のほんの一部にすぎないということが理解されるべきである。
【００１７】
筆記具が物理層と接触するとき、物理層１２０は筆記などの入力を瞬時に表示することができるあらゆる種類の材料で実施することができる。一例であり、これに限定されないが、タッチスクリーンディスプレイ１１６に重なり、筆記具からの圧力が感圧コレステリック液晶層に加えられると筆記を一時的に表示する感圧コレステリック液晶層として物理層１２０を実施することができる。物理層１２０が感圧コレステリック液晶層層として実施されると、物理層１２０は筆記具１１８から筆記を受信し、直ちに該筆記を表示することができる。次に、感圧コレステリック液晶層は周期的にリフレッシュを行い、タッチスクリーンディスプレイ１１６上の筆記のデジタル表現によって置換される筆記の表示は電気的に削除される。
【００１８】
他の実施例として、物理層１２０は光源によって接触されると、瞬時に光を反射するように構成される発光層として実施できる。本実施例において、ライトペンが発光層と接触すると光源から発光する光が直ちに反射されるように、光源を有するライトペンはタッチ入力装置１０２上への筆記用に使用される。このように、物理層１２０が発光層として実施されると、物理層１２０はライトペンから筆記を受信でき、直ちに該筆記を表示することができる。次に、筆記は経時的に劣化して発光材料から筆記の表示を削除することができる。タッチスクリーンディスプレイ１１６上の筆記のデジタル表現は、この発光材料を置換することができる。
【００１９】
図２ａ及び図２ｂはタッチ入力装置１０２上の筆記の詳細な実施例２００を示す。図２ａにおいて、２０２では、ユーザが“Ｊｏｈ”という文字をタッチ入力装置１０２上に筆記具１１８を用いて書く。タッチ入力装置１０２は筆記をユーザから受信すると瞬時に“Ｊｏｈ”という文字を表示する。しかし、筆記を受信した直後に、タッチスクリーンディスプレイ１１６が該筆記のデジタル表現を表示しないのは、２０４において、タッチ入力装置１０２が該筆記のデジタル表現をまだ処理及び描画していないからである。一方で、筆記が２０６で受信されると、物理層１２０は瞬時に文字“Ｊｏｈ”を表示する。ただし、物理層１２０はタッチスクリーンディスプレイ１１６に重なるので、２０２では、ユーザにとってまるで筆記のデジタル表現が瞬時に表示されるように見える。
【００２０】
図２ｂに続いて、２０８では、ユーザが筆記具１１８を用いて文字“ｎ”をタッチ入力装置１０２上に書く。ただし、２１０では、タッチスクリーンディスプレイ１１６は文字“Ｊｏｈ”のデジタル表現を現在行っている。しかし、タッチスクリーンディスプレイ１１６が、まだ文字“ｎ”のデジタル表現を行っていないのは、タッチ入力装置１０２が文字“ｎ”のデジタル表現をまだ処理及び描画していないからである。一方で、筆記が２１２で受信されると、物理層１２０は瞬時に文字“ｎ”を表示する。しかし、この時点で、文字“Ｊｏｈ”は物理層１２０から削除される、あるいは、劣化処理の状態にある。ただし、物理層１２０はタッチスクリーンディスプレイ１１６に重なるので、２０８では、ユーザにとってまるで単語“Ｊｏｈｎ”のデジタル表現が瞬時に行われているように見える。
【００２１】
［方法例］
図３は、低遅延タッチ入力装置を制御する方法３００の例を示すフロー図である。ブロック３０２はタッチ入力装置への入力として筆記を受信する。例えば、タッチ入力装置１０２（図１）は筆記具１１８がタッチスクリーンディスプレイ１１６に重なる物理層１２０と接触するとき、入力として筆記を受信する。
【００２２】
ブロック３０４では、タッチ入力装置のタッチスクリーンディスプレイに重なる物理層上で筆記を一時的に表示する。例えば、タッチスクリーンディスプレイ１１６に重なる物理層１２０は、筆記を一時的に表示する。タッチ入力装置が入力を処理する前に、物理層１２０は筆記を瞬時に表示することができる。
【００２３】
ブロック３０６は入力を処理し、筆記のデジタル表現を生成する。例えば、デジタイザー１１２は入力を処理し、筆記のデジタル表現を生成する。ブロック３０８はタッチスクリーンディスプレイ上の筆記のデジタル表現を描画し、物理層上に表示された筆記を置換する。例えば、コントローラ１１４はタッチスクリーンディスプレイ１１６上の筆記のデジタル表現を描画し、物理層１２０上に表示された筆記を置換する。
【００２４】
［装置例］
図４はこれまでの図１から図３を参照して説明したあらゆる種類のクライアント、サーバ、オンチップシステム及び／又はディスプレイ装置として実施することができる装置４００の例のさまざまなコンポーネントを示し、低遅延タッチ入力装置を可能にする技術を実施する。実施形態において、装置４００は、有線及び／又は無線装置、フラットパネルディスプレイの形態としてのヘッドマウントディスプレイ装置（例えば、眼鏡、サングラスなど）、テレビ、テレビクライアント装置（例えば、テレビ用セットトップボックス、デジタルビデオレコーダー（ＤＶＲ）など）、消費者装置、コンピュータ装置、サーバ装置、ポータブルコンピュータ装置、ユーザ装置、通信装置、映像処理及び／又はレンダリング装置、アプライアンスデバイス、ゲーム機、電子機器及び／又はその他の種類の装置のいずれか１種又はこれらの組み合わせとして実施することができる。装置４００は視聴者（例えば、人又はユーザ）及び／又は装置がユーザ、ソフトウェア、ファームウェア及び／又は装置の組み合わせを含む論理装置を説明するように装置を操作するエンティティに関連する。
【００２５】
装置４００は装置データ４０４（例えば、受信データ、受信中のデータ、放送予定のデータ、データのデータパケットなど）の有線及び／又は無線通信を可能にする通信装置４０２を含む。装置データ４０４又はその他のデバイスコンテンツは、装置、装置に記憶されたメディアコンテンツ及び／又は装置のユーザに関連する情報の構成設定を含むことができる。装置４００に記憶されたメディアコンテンツは、あらゆる種類の音声、映像及び／又は画像データを含むことができる。装置４００は、１つ以上のデータ入力４０６を含み、このデータ入力４０６を介して、例えば、ユーザによる選択が可能な入力、メッセージ、音楽、テレビメディアコンテンツ、録画映像コンテンツ、そしてあらゆるコンテンツ及び／又はデータソースから受信したあらゆる種類の音声、映像及び／又は画像データなどのあらゆる種類のデータ、メディアコンテンツ及び／又は入力が受信され得る。
【００２６】
装置４００は通信インターフェース４０８も含む。通信インターフェース４０８は１つ以上のシリアル及び／又はパラレルインターフェース、無線インターフェース、あらゆる種類のネットワークインターフェース、モデムそしてその他あらゆる種類の通信インターフェースとして実施することができる。通信インターフェース４０８は接続及び／又は通信リンクを装置４００と通信ネットワークとの間にもたらし、これにより、他の電子装置、コンピュータ装置及び通信装置が装置４００とデータを通信できる。
【００２７】
装置４００は１つ以上のプロセッサ４１０（例えば、マイクロプロセッサ、コントローラなどのいずれか）を含み、これらはさまざまなコンピュータ実行可能命令を処理し、装置４００の動作を制御して、低遅延タッチ入力装置を実施する技術を可能にする。あるいは、又は追加的に、装置４００は、ハードウェア、ファームウェア又は一般に４１２で特定される処理及び制御回路に関連して実施される固定論理回路の１つあるいは組み合わせで実施できる。図示していないが、装置４００はデバイス内でさまざまなコンポーネントに結合するシステムバス又はデータ転送システムを含むことができる。システムバスは、メモリバス又はメモリコントローラ、周辺バス、ユニバーサルシリアルバス及び／又はプロセッサあるいはさまざまなバスアーキテクチャを利用するローカルバスなどの異なるバス構造の１つ又はこれらの組み合わせを含むことができる。
【００２８】
装置４００は永久的及び／又は非一時的データ記憶（つまり、単なる信号伝送とは対照的）を可能にする１つ以上のメモリ装置などのコンピュータ読み取り可能記憶媒体４１４も含む。例として、ランダムアクセスメモリ（ＲＡＭ）、不揮発性メモリ（例えば、１つ以上の読み取り専用メモリ（ＲＯＭ）、不揮発性ＲＡＭ（ＮＶＲＡＭ）、フラッシュメモリ、ＥＰＲＯＭ、ＥＥＰＲＯＭなど）及びディスク記憶装置を含む。ディスク記憶装置はハードディスクドライブ、追記型及び／又は書き換え型コンパクトディスク（ＣＤ）、あらゆる種類のデジタル多用途ディスク（ＤＶＤ）などのあらゆる種類の磁気又は光学式記憶装置として実施することができる。
【００２９】
コンピュータ読み取り可能記憶媒体４１４はデータ記憶機構を提供し、さまざまなデバイスアプリケーション４１８及び装置４００の動作態様に関連するあらゆる種類の情報及び／又はデータと共に、デバイスデータ４０４を記憶する。例えば、オペレーティングシステム４２０はコンピュータアプリケーションとしてコンピュータ読み取り可能記憶媒体４１４とともに保持され、プロセッサ４１０上で実行することができる。デバイスアプリケーション４１８は、あらゆる形態の制御アプリケーション、ソフトウェアアプリケーション、信号処理及び制御モジュール、特定の装置のネイティブコード、特定の装置用のハードウェア抽象化レイヤーなどのデバイスマネージャーを含むことができる。
【００３０】
デバイスアプリケーション４１８はあらゆるシステムコンポーネント又はモジュールを含み、低遅延タッチ入力装置を利用あるいは可能にする技術を実施する。本実施例において、デバイスアプリケーション４１８はデジタイザー１１２及び低遅延タッチ入力装置を制御するためのコントローラ１１４を含むことができる。
【００３１】
［結論］
本明細書は低遅延タッチ入力装置の実施形態を説明する。構造的特徴及び／又は方法的行為（ｍｅｔｈｏｄｏｌｏｇｉｃａｌ  ａｃｔ）に特有な文言で本発明について説明したが、当然のことながら、添付した特許請求の範囲に定めた本発明は、説明した具体的な特徴や行為に必ずしも限定されるわけではない。むしろ、具体的な特徴や行為は、特許請求する発明を実施する形態の例として開示したに過ぎない。
【図１】
2015505630.tif 000003
【図２ａ】
2015505630.tif 000004
【図２ｂ】
2015505630.tif 000005
【図３】
2015505630.tif 000006
【図４】
2015505630.tif 000007
【国際調査報告】
2015505630.tif 000008
2015505630.tif 000009
2015505630.tif 000010
2015505630.tif 000011